(57)【要約】【課題】読取センサの上部を原稿が通過する場合に、原稿に皺や折り目がある場合に十分に原稿台に密着できず、画像の読取品質が悪くなる。【解決手段】原稿を原稿台に押しつけるベルトを備えることで原稿を強く原稿台に押し付け、皺や折り目を引き伸ばし、原稿を平面に保つ。また、ベルトは原稿の搬送に連れ回るように無端ベルトで構成し、原稿の搬送に対して負荷を軽減し、搬送ミスを防止する。また、読取センサの重複部分に対応する位置での原稿の浮きを防止するため、その部分のベルトを配置する。【選択図】  図１
2014140130.tif 000002
【特許請求の範囲】
【請求項１】
原稿を搬送する搬送ローラと、
前記搬送ローラに対向して配置されると共に前記搬送ローラの方向に付勢されたピンチローラと、
前記搬送ローラと前記ピンチローラの間を通って搬送される前記原稿を支持する原稿台と、
前記原稿台に対向して配置されると共に読取範囲の一部が重複するように千鳥状に配置された複数のラインセンサと、
前記ラインセンサの各々に対して対向する位置に配置する白基準板と、
前記白基準板を支持する支持部と、
前記ピンチローラを支持すると共に前記支持部が固定される蓋部と、
前記搬送ローラを支持すると共に前記蓋部を開閉可能に支持し、さらに前記原稿台と前記ラインセンサを収容する台部と、
前記ラインセンサによって読取る画像データに基づいて記録媒体に画像を記録する記録手段と、
を有する画像形成装置において、
前記白基準板の前記原稿の搬送方向の前後に配置され、前記原稿を前記原稿台方向に付勢する複数の押圧ローラと、
前記読取範囲の重複部分に対応する位置に配置され、前記ピンチローラに掛け回され、前記原稿を前記原稿台方向に付勢するベルトと、
を有することを特徴とする画像形成装置。
【請求項２】
前記ベルトは、前記押圧ローラと前記原稿の間にあり、前記原稿の搬送に伴って連れ回ることを特徴とする請求項１に記載の画像形成装置。
【請求項３】
前記ベルトは前記重複部分の夫々の間であって、前記ラインセンサ同士の前記読取範囲が重ならない位置にも更に配置されていることを特徴とする請求項１または請求項２に記載の画像形成装置。
【請求項４】
前記ベルトは透明であることを特徴とする請求項１から請求項３の何れか１項に記載の画像形成装置。
【発明の詳細な説明】
【技術分野】
【０００１】
本発明は、原稿を読取る原稿読取装置を備える画像形成装置に関する。
【背景技術】
【０００２】
従来の画像形成装置の原稿読取装置では、原稿の搬送方向に直交する方向にライン状の読取センサが配置され、搬送される原稿を搬送方向に直行する方向に沿った列ごとに走査しながら読取っている。
【０００３】
しかし、読取センサは個々に感度のばらつきがあり、そのまま使用すると読込んだ画像データがそのばらつきに影響を受け、画像が正確に再現できない問題があった。この問題を解決する為に、シェーディング補正によって読取センサの個々の感度ばらつきを補正している。
【０００４】
しかし、シェーディング補正をしたとしても原稿読取時に正確に読取ができないと、画像を正確に再現できない。例えば折り目のついた原稿を読取る場合に、折り目周辺の部分が浮いてしまい画像を正確に読み取ることができない問題がある。
【０００５】
これらの問題に対して、特開平１０−９８５８０号公報に記載の従来技術では、読取センサに対向する位置に、上下可動するように支持された白基準板を設けた技術が開示されている。この従来技術は、さらに白基準板と原稿台の距離が一定となる第１突起があり、白基準板と原稿台の間隔を一定にしている。さらに原稿のばたつきを防止する為に第１突起より低い第２突起を備えている。この第２突起は、搬送ローラ対の間にあり、読取部を遮らない配置である。そして、この第２突起により、送られてくる原稿を押える構成である。
【先行技術文献】
【特許文献】
【０００６】
【特許文献１】特開平１０−９８５８０号公報
【発明の概要】
【発明が解決しようとする課題】
【０００７】
しかしながら従来技術では、突起は原稿に対して上下にしか動作せず、また、突起と原稿との間の摩擦抵抗も大きいと考えられる。摩擦抵抗を小さくするために接触面積を小さくすることが考えられるが、原稿がかかり易くなり、またひどい場合には傷つけてしまうという問題が生じる。また、原稿の折り目を十分に引き延ばすには、かなりの力が必要であり、上から押えた場合に搬送ミスを生じることも考えられる。
【課題を解決するための手段】
【０００８】
このような課題に対して、本願発明は、原稿読取時に原稿を押えつけると共に、原稿の搬送ミスを防止でき、高品質の読取データを取得できる画像形成装置を提供する。また、読取った画像データの繋ぎ目の位置での原稿の浮きを防止することで繋ぎ目部分での画像データに差が生じない高品質の読取データを取得できる画像形成装置を提供する。
【０００９】
本発明の画像形成装置は、原稿を搬送する搬送ローラと、前記搬送ローラに対向して配置されると共に前記搬送ローラの方向に付勢されたピンチローラと、前記搬送ローラと前記ピンチローラの間を通って搬送される前記原稿を支持する原稿台と、前記原稿台に対向して配置されると共に読取範囲の一部が重複するように千鳥状に配置された複数のラインセンサと、前記ラインセンサの各々に対して対向する位置に配置する白基準板と、前記白基準板を支持する支持部と、前記ピンチローラを支持すると共に前記支持部が固定される蓋部と、前記搬送ローラを支持すると共に前記蓋部を開閉可能に支持し、さらに前記原稿台と前記ラインセンサを収容する台部と、前記ラインセンサによって読取る画像データに基づいて記録媒体に画像を記録する記録手段と、を有する画像形成装置において、前記白基準板の前記原稿の搬送方向の前後に配置され、前記原稿を前記原稿台方向に付勢する複数の押圧ローラと、前記読取範囲の重複部分に対応する位置に配置され、前記ピンチローラに掛け回され、前記原稿を前記原稿台方向に付勢するベルトと、を有することを特徴とする。
【発明の効果】
【００１０】
本願発明によれば、読取位置において原稿の浮き上がりを防止でき、高品質の読取データを取得でき、画像の再現性の高い画像形成装置を提供できる。
【図面の簡単な説明】
【００１１】
【図１】図１は、本発明の画像読取ユニットの蓋部分の断面図である。
【図２】図２は、本発明の原稿押圧ユニットの説明の図である。
【図３】図３は、本発明の白基準板ユニットの白基準板方向からの斜視図である。
【図４】図４は、本発明の白基準板ユニットの側面図である。
【図５】図５は、本発明の画像形成装置の全体の概略図である。
【図６】図６は、本発明の画像読取りユニットの蓋部の底面図である。
【発明を実施するための形態】
【００１２】
図面を用いて、本発明の実施形態を説明する。
図５は、本発明の画像形成装置の全体の概略図である。画像形成装置２０は、画像読取ユニット１１と記録部１２を備える。画像読取ユニット１１は、台部１４と蓋部１３に分かれ、台部１４に開閉可能に蓋部１３が支持されている。台部１４には、原稿１７を搬送する搬送ローラ１６が備えられている。搬送ローラ１６は原稿１７を挿入する付近と、排出する付近に配置さされている。搬送ローラ１６に対になるピンチローラ１５が蓋部１３に支持されている。また、蓋部１３にベルトローラ２４が支持されている。２つのピンチローラ１５とベルトローラ２４に掛け回されるベルト２５を備える。ベルト２５は蓋部１３を閉めたときに、原稿１７を原稿台１８方向に押圧して密着させる。ベルト２５は透明なＰＥＴ樹脂製が好ましい。または、ゴムやウレタンなどから作られたものでもよい。搬送ローラ１６は回転駆動し、それに合わせてベルト２５も回転する。また、ピンチローラ１５は搬送ローラ１６にあわせて回動可能に付勢されている。そのため、搬送ローラ１６が回動すると、ベルト２５を挟み、ピンチローラ１５はそれに合わせて連れ回る。原稿１７は搬送ローラ１６とベルト２５に挟まれて搬送される。
【００１３】
台部１４には、原稿１７を支持する原稿台１８が備わっている。原稿台１８の表面が搬送ローラ１６の外周の頂点と、同じ高さに配置されている。原稿台１８は透明で扁平なガラス板である。原稿台１８の上を原稿１７が通る。原稿台１８の原稿１７の搬送面でない側の面に接するようにラインセンサ１９が配置されている。ラインセンサ１９は原稿の挿入方向に２本、排出方向に３本、千鳥状に配置されている。夫々のラインセンサ１９は原稿１７を読込取る際に読取部分の一部が重複するように、配置されている。蓋部１３には白基準板ユニット１が配置されている。白基準板ユニット１は各ラインセンサ１９に対向する位置に配置されている。
【００１４】
記録部１２は使用する記録媒体２２を格納している。記録媒体２２は、紙やプラスチックフィルムなどをロール状に巻きまわしたものである。記録媒体搬送ローラ２３を有する搬送手段によって、記録媒体２２は搬送される。記録手段２１によって搬送された記録媒体２２に画像を記録する。記録する画像は、画像読取ユニット１１で読取った画像データに基づいて記録することもできる。また外部に配置されたコンピュータから画像データを受信してその画像データに基づいて記録媒体に画像を記録することもできる。
【００１５】
図１は、本発明の画像読取ユニットの蓋部分の断面である。蓋部１３は、内部にフレーム２７を有し、そのフレーム２７にアーム２６が固定され、その先端にピンチローラ１５が回動自在に支持されている。フレーム２７に白基準板ユニット１が固定されている。フレーム２７には、ベルトローラ２４が固定されている。ベルトローラ２４とピンチローラ１５にベルト２５が掛け回されている。
【００１６】
蓋部１３の底部には原稿押え板３３が配置されている。原稿押え板３３にはピンチローラ１５及び白基準板ユニット１を、原稿押え板３３から突出させる為の貫通孔が設けられている。ピンチローラ１５と搬送ローラ１６を対向させ、その間にベルト２５配置することができる。白基準板ユニット１には、押えローラが回動自在に支持され、また白基準板２が原稿台１８に対向するように配置されている。
【００１７】
アーム２６は弾性があり、撓む。蓋部１３が開けられているときは白基準ユニット１より下側にベルト２５が離間し、蓋部１３を閉められているときは白基準ユニット１の押えローラがベルト２５に接触する。この撓みの力で原稿をベルト２５で原稿台１８に押さえつける。ベルト２５は回動自在なので、原稿の搬送に合わせて回動する。強く押さえつけるが、原稿の搬送を妨害しないようになっている。
【００１８】
また、好ましくは、一部の押えローラの径を他より大きくすることで、原稿１７を原稿台１８に押圧する部分と、原稿台１８からの原稿１７の浮きを規制する部分とを設け、原稿１７を押えながらも、逃げる部分を備えさせる。逃げ部分を設けることで、ジャムが生じたときに原稿が破れないようにできる。
【００１９】
図２は、本発明のベルトローラおよびピンチローラの説明の図である。ベルト２５を支持するローラ群の取り付け部分を拡大した図である。フレーム２７にピンチローラ１５のアーム２６がネジで固定されている。ピンチローラ１５はアーム２６に回動自在に支持されている。フレーム２７にベルトローラ２４が回動自在に支持されている。ベルト２５はこれらのローラに掛け回され、ピンチローラ１６の回動に従って連れ回る。
【００２０】
図３は、本発明の白基準板ユニットの白基準板方向からの斜視図である。白基準板ユニット１は、白基準板２、押えローラ支持部３、第１押えローラ４、第２押えローラ５、遮光部６、ローラ軸７を備える。
【００２１】
白基準板ユニット１は、金属製の板の両端を曲げローラ支持部３を構成している。また、この金属製の板の平坦部によって白基準板２を構成している。ローラ支持部３はローラ軸７を支持している。白基準板２の両側に複数の第１押えローラ４と第２押えローラ５とが回動可能にローラ軸７に取り付けられている。隙間から漏れる光を遮る為に、金属製の板の先端を凸状にし、曲げ、遮光部６を形成している。遮光部６は、第１押えローラ４、第２押えローラ５の間に入るように構成されている。また遮光部６は、搬送される原稿の端が第１押えローラ４、第２押えローラ５に引っかからないようにする効果もある。
【００２２】
白基準板２の部分は、シェーディング補正の白基準となる。白基準板２は表面が白色であり、塗料を塗って構成しても、白基準のフィルムを貼り付けてもよい。
【００２３】
第１押えローラ４、第２押えローラ５がローラ軸７の軸方向に移動可能に多少隙間を設けても良い。また、第１押えローラ４、第２押えローラ５は夫々独立に回動するのが好ましいが、一つのローラで構成しても、一つのローラであるかのように連動して回動する機構を設けてもよい。第１押えローラ４は第２押えローラ５より大きいサイズに形成している。
【００２４】
また、第１押えローラ４は第２押えローラ５より大きいサイズに形成している。第１押えローラ４の外周の輪郭によって第２押えローラ５の外周の輪郭が隠れる。
【００２５】
ベルト２５は、第１押えローラ４または第２押えローラ５と、ピンチローラ１６の間に入ることになる。また原稿がある場合は、ベルト２５は第１押えローラ４または第２押えローラ５と、原稿の間に入ることになる。
【００２６】
図４は、本発明の白基準板ユニットの側面図である。押えローラ支持部３には第１軸孔９と第２軸孔１０が形成されている。押えローラ支持部３がフレーム２７に固定される。第１軸孔９と第２軸孔１０にローラ軸７を通し、系止部材８によってローラ軸７を系止している。第１軸孔９は円形の貫通孔である。第２軸孔１０は略四角形状の貫通孔である。四角形の角の部分を弧状に形成している。第１軸孔９に通されているローラ軸７の移動方向と第２軸孔１０に通されているローラ軸７の移動方向が異なるようにしている。これは、製造上のばらつきによって、第１軸孔９と第２軸孔１０が予め決められた位置に全く同じ形状に形成できなくとも、第１軸孔９と第２軸孔１０を異形にすることで、このような孔の形成による問題が発生しても相互に軸の移動の自由度を向上させることができる。よって、白基準板２を正確に上下動させることができる。
【００２７】
図６は、本発明の画像読取りユニットの蓋部の底面図である。蓋部１３の底部には原稿押え板３３が配置してある。原稿押え板３３には開口部があり、そこから白基準板ユニット１が５つ突出している。白基準板ユニット１はラインセンサ１９に対向して千鳥状に配置されている。白基準板ユニット１は、重複範囲２８の範囲内にベルト２５が配置されている。重複範囲２８の範囲内には搬送ローラ１６に対応するピンチローラ１５が配置されている。
【００２８】
重複範囲２８内では、原稿１７はベルト２５と接触する。そのため他の部分より原稿台１８に強く押さえつけられる。原稿の皺や折り目が好適に伸ばされ、平面上になる。特に重複範囲２８の範囲内にラインセンサ１９で取得した画像データのつなぎ目が入るので、ベルト２５によって十分押さえつけることで、皺や折り目の影響を削減できる。
【００２９】
また、他の部分も第１押えローラ４、第２押えローラ５によって、原稿１７を原稿台１８に押し付けあるいは浮を押える。そのため、原稿１７の撓みなどによる浮き上がりを防止できる。
【００３０】
白基準板２はシェーディング補正の基準となるので、ベルト２５を透明にすることが好ましい。透明にしても、完全に透明とはいかないので、予め補正値を備え、ベルト部分に関してはさらにこの補正値を加えてシェーディング補正をおこなう。
【産業上の利用可能性】
【００３１】
本発明は、原稿を搬送させ、その原稿を読取る読取装置を備える画像形成装置に適用できる。
【符号の説明】
【００３２】
２  白基準板
４  第１押えローラ
５  第２押えローラ
１１  画像読取ユニット
１２  記録部
１３  蓋部
１４  台部
１５  ピンチローラ
１６  搬送ローラ
１７  原稿
１８  原稿台
１９  ラインセンサ
２０  画像形成装置２０
２１  記録手段
２４  ベルトローラ
２５  ベルト
２６  アーム
２７  フレーム
【図１】
2014140130.tif 000003
【図２】
2014140130.tif 000004
【図３】
2014140130.tif 000005
【図４】
2014140130.tif 000006
【図５】
2014140130.tif 000007
【図６】
2014140130.tif 000008